(57)【要約】【課題】エレベータ用押しボタンスイッチの押圧操作時における照明の明るさや色合いのばらつきを抑制して均一性を高めることを目的とする。【解決手段】外部からシリアル信号によって与えられる各ＬＥＤ５，６の明るさの各設定値に基づいて、各ＬＥＤ５，６を点灯駆動する駆動信号のデューティを制御することによって、各ＬＥＤ５，６の明るさを調整して照明色を制御する制御手段９を備え、制御手段９は、各設定値を補正して各ＬＥＤ５，６の明るさのばらつきを補正する個体ばらつき補正部１１と、各ＬＥＤ５，６の経時劣化による明るさの低下を補正する経時劣化補正部１２とからなる補正手段を有している。【選択図】図２
2010064878.tif 000002
【特許請求の範囲】
【請求項１】
押しボタンの押し込み操作に伴って作動するスイッチと、前記押しボタンを照明する複数の光源とを備えるエレベータ用押しボタンスイッチであって、
前記複数の各光源の明るさの各設定値に基づいて、各光源を点灯駆動する駆動信号のデューティを制御することによって、各光源の明るさを調整して照明色を制御する制御手段を備え、
前記制御手段は、前記各設定値を補正して前記各光源の明るさのばらつきを補正する補正手段を有し、前記補正手段で補正された各設定値に基づいて、前記デューティを制御することを特徴とするエレベータ用押しボタンスイッチ。
【請求項２】
押しボタンの押し込み操作に伴って作動するスイッチと、前記押しボタンを照明する複数の光源とを備えるエレベータ用押しボタンスイッチであって、
前記複数の各光源の明るさの各設定値に基づいて、各光源を点灯駆動する駆動信号のデューティを制御することによって、各光源の明るさを調整して照明色を制御する制御手段を備え、
前記制御手段は、前記各設定値を補正して前記各光源の明るさのばらつきを補正するとともに、前記各光源の経時劣化による明るさの低下を補正する補正手段を有し、前記補正手段で補正された各設定値に基づいて、前記デューティを制御することを特徴とするエレベータ用押しボタンスイッチ。
【請求項３】
前記補正手段は、前記各光源の明るさのばらつきを補正する補正値を格納する記憶部と、前記補正値に基づいて、前記各設定値を補正する補正部とを含む請求項１に記載のエレベータ用押しボタンスイッチ。
【請求項４】
前記補正手段は、前記各光源の明るさのばらつきを補正する補正値を格納する第１の記憶部と、前記第１の記憶部の前記補正値に基づいて、前記各設定値を補正する第１の補正部と、当該押しボタンスイッチの点灯時間を積算する点灯時間積算部と、積算された総点灯時間および前記各光源の明るさの経時劣化の度合いに基づいて、各設定値を補正する第２の補正部とを含む請求項２に記載のエレベータ用押しボタンスイッチ。
【請求項５】
前記複数の光源が、赤色発光ダイオード、緑色発光ダイオードおよび青色発光ダイオードである請求項１ないし４のいずれか一項に記載のエレベータ用押しボタンスイッチ。
【請求項６】
前記複数の各光源の明るさの各設定値および前記補正値は、シリアル信号によって外部から与えられ、該シリアル信号には、設定値であるか補正値であるかを指定するコマンドコードを含む請求項３または４に記載のエレベータ用押しボタンスイッチ。
【発明の詳細な説明】
【技術分野】
【０００１】
本発明は、エレベータ用の押しボタンスイッチに関し、更に詳しくは、押しボタンを押圧操作すると、ボタン部分が内部から照明される照光式の押しボタンスイッチに関する。
【背景技術】
【０００２】
目的階の指定あるいはドアの開閉などを行うエレベータスイッチに利用される押しボタンスイッチとしては、押しボタンを押圧操作すると、押しボタンを内側から照明してスイッチ操作状態を表示する照光式のものがある（例えば、特許文献１参照）。
【特許文献１】特開２００３−２７２４７３号公報
【発明の開示】
【発明が解決しようとする課題】
【０００３】
かかるエレベータ用の押しボタンスイッチでは、押しボタンを内側から照明したときの明るさや色合い（色調）に対する市場の要求は益々厳しくなっている。
【０００４】
従来では、押しボタンスイッチ内部に実装する光源であるＬＥＤを、その明るさや色合いによってランク選別して、特定のランクのものを使用したり、あるいは、明るさについては、ＬＥＤに流れる電流を制限する電流制限抵抗を、所望の明るさが得られる定数のものに付け替えたりして対応している。
【０００５】
しかしながら、ＬＥＤの製造においては、ＬＥＤ自身の明るさや色合いにばらつきが生じ、このため、特定のランクのＬＥＤを所望の数量得られない場合があり、また、電流制限抵抗の付け替えは、作業者が行うために、時間とコストがかかるといった課題がある。
【０００６】
また、従来の白色やオレンジ色といった単色に限らず、様々な色の照明をしたいという要求も強くなっている。
【０００７】
本発明は、このような実情に着目してなされたものであって、エレベータ用押しボタンスイッチの押圧操作時の照明の明るさや色合いのばらつきを抑制して均一性を高めることを目的とする。
【課題を解決するための手段】
【０００８】
（１）本発明のエレベータ用押しボタンスイッチは、押しボタンの押し込み操作に伴って作動するスイッチと、前記押しボタンを照明する複数の光源とを備えるエレベータ用押しボタンスイッチであって、前記複数の各光源の明るさの各設定値に基づいて、各光源を点灯駆動する駆動信号のデューティを制御することによって、各光源の明るさを調整して照明色を制御する制御手段を備え、前記制御手段は、前記各設定値を補正して前記各光源の明るさのばらつきを補正する補正手段を有し、前記補正手段で補正された各設定値に基づいて、前記デューティを制御するものである。
【０００９】
各光源は、その発色の色合いが互いに異なるものである。
【００１０】
各光源の明るさのばらつきとは、各光源のそれぞれについての明るさのばらつきをいい、例えば、赤色の光源であれば、赤色の光源の１個、１個の明るさのばらつきをいう。
【００１１】
明るさには、輝度、光度あるいは照度を含むものである。
【００１２】
本発明のエレベータ用押しボタンスイッチによると、各光源の明るさのばらつきを補正するように各光源の明るさの設定値を補正し、この補正した設定値に応じて駆動信号のデューティを制御するので、各光源の明るさのばらつきを抑制することができ、それら光源の組み合わせによる照明色の明るさや色合いのばらつきを抑制して均一性を高めることができる。
【００１３】
これによって、当該エレベータ用押しボタンスイッチの１個、１個についての照明色の明るさや色合いのばらつきを抑制できることになる。
【００１４】
（２）本発明のエレベータ用押しボタンスイッチは、押しボタンの押し込み操作に伴って作動するスイッチと、前記押しボタンを照明する複数の光源とを備えるエレベータ用押しボタンスイッチであって、前記複数の各光源の明るさの各設定値に基づいて、各光源を点灯駆動する駆動信号のデューティを制御することによって、各光源の明るさを調整して照明色を制御する制御手段を備え、前記制御手段は、前記各設定値を補正して前記各光源の明るさのばらつきを補正するとともに、前記各光源の経時劣化による明るさの低下を補正する補正手段を有し、前記補正手段で補正された各設定値に基づいて、前記デューティを制御するものである。
【００１５】
本発明のエレベータ用押しボタンスイッチによると、各光源の明るさのばらつきを補正するように各光源の明るさの設定値を補正し、この補正した設定値に応じて駆動信号のデューティを制御するので、各光源の明るさのばらつきを抑制することができ、それら光源の組み合わせによる照明色の明るさや色合いのばらつきを抑制して均一性を高めることができる。
【００１６】
更に、各光源の明るさの経時劣化による低下を補正するように、各光源の明るさの設定値を補正し、この補正した設定値に応じて駆動信号のデューティを制御するので、経時劣化による各光源の明るさの低下の相違に起因する照明色の明るさや色合いの変化を抑制することができる。
【００１７】
これによって、当該エレベータ用押しボタンスイッチの１個、１個についての照明色の明るさや色合いのばらつきを抑制できるとともに、照明色の明るさや色合いの、例えば、１年、２年といった経時的な変化を抑制することができる。
【００１８】
（３）上記（１）の実施形態では、前記補正手段は、前記各光源の明るさのばらつきを補正する補正値を格納する記憶部と、前記補正値に基づいて、前記各設定値を補正する補正部とを含むようにしてもよい。
【００１９】
補正値は、予め、各光源の１個、１個について明るさを測定し、一定の明るさになるように決定するのが好ましい。この明るさの測定は、例えば、製造時の検査工程などで行うのが好ましい。
【００２０】
この実施形態によると、補正値に基づいて、各光源の明るさのばらつきを補正することができる。
【００２１】
（４）上記（２）の実施形態では、前記補正手段は、前記各光源の明るさのばらつきを補正する補正値を格納する第１の記憶部と、前記第１の記憶部の前記補正値に基づいて、前記各設定値を補正する第１の補正部と、当該押しボタンスイッチの点灯時間を積算する点灯時間積算部と、積算された総点灯時間および前記各光源の明るさの経時劣化の度合いに基づいて、各設定値を補正する第２の補正部とを含むようにしてもよい。
【００２２】
第１の記憶部に格納する補正値は、予め、各光源の１個、１個についての明るさを測定し、一定の明るさになるように決定するのが好ましい。
【００２３】
各光源の明るさの経時劣化の度合いは、予め、例えば、光源の種類毎、例えば、赤色の光源と黄色の光源とを備える場合には、赤色の光源および黄色の光源のそれぞれについて、連続点灯試験を行って明るさの経時劣化の度合いを測定するのが好ましい。
【００２４】
第２の補正部では、積算された総点灯時間および前記各光源の明るさの経時劣化の度合いに基づいて、各光源の経時劣化による明るさの低下を補正するのが好ましい。
【００２５】
この実施形態によると、第１の補正部によって、各光源の明るさのばらつきを補正することができるとともに、第２の補正部によって、経時劣化による各光源の明るさ低下の相違による照明色の明るさや色合いの変化を抑制することができる。
【００２６】
（５）本発明のエレベータ用押しボタンスイッチの他の実施形態では、前記複数の光源が、赤色発光ダイオード、緑色発光ダイオードおよび青色発光ダイオードである。
【００２７】
この実施形態では、赤色、緑色および青色の三色の発光ダイオードを備えているので、各発光ダイオードの明るさの設定値の選択によって、任意の照明色を選択することが可能となる。
【００２８】
（６）上記（３）または（４）の実施形態では、前記複数の各光源の明るさの各設定値および前記補正値は、シリアル信号によって外部から与えられ、該シリアル信号には、設定値であるか補正値であるかを指定するコマンドコードを含むようにしてもよい。
【００２９】
この実施形態によると、設定値であるときには、それを補正して駆動信号のデューティを制御して各光源の明るさを調整し、また、補正値であるときには、記憶部に格納して設定値の補正に用いることができる。
【００３０】
更に、エレベータの制御盤から、例えば、昼や夜といった時間帯、あるいは、春、夏、秋、冬といった季節に応じて設定値を変更することにより、各光源の明るさが調整されて照明色の色合いを、時間帯や季節に応じて変更することが可能となる。
【発明の効果】
【００３１】
本発明によれば、各光源の明るさのばらつきを補正するように各光源の明るさの設定値を補正し、この補正した設定値に応じて駆動信号のデューティを制御するので、各光源の明るさのばらつきを抑制することができ、それら光源の組み合わせによる照明色の明るさや色合いのばらつきを抑制して均一性を高めることができ、これによって、当該エレベータ用押しボタンスイッチの１個、１個についての照明色の明るさや色合いのばらつきを抑制できることになる。
【発明を実施するための最良の形態】
【００３２】
以下、本発明の実施形態を図面に基づいて説明する。
【００３３】
（実施形態１）
図１は、本発明に係るエレベータ用押しボタンスイッチおよびその点灯を制御するエレベータの中央制御盤を示す図である。
【００３４】
この実施形態のエレベータ用押しボタンスイッチ１１〜１３は、エレベータかご内の壁面に設置されており、例えば、目的階を指定するために押圧操作されるものである。
【００３５】
各エレベータ用押しボタンスイッチ１１〜１３は、従来と同様に、透明樹脂材からなる押しボタンと、この押しボタンの押圧操作に伴って作動するスイッチと、押しボタンの背面側に配備される導光板と、押しボタンを背面側から照明する複数の光源とを備えている。この実施形態では、後述のように赤色のＬＥＤと黄色のＬＥＤとを備えており、それらを組み合わせた単色のオレンジ色で照明するものである。
【００３６】
エレベータの中央制御盤２には、エレベータ用押しボタンスイッチ１１〜１３の押圧操作に伴う前記スイッチの操作信号が与えられ、これに応じて、対応するエレベータ用押しボタンスイッチに対して、点灯信号およびその明るさを指定する設定値を与える。この設定値は、エレベータ用押しボタンスイッチ１１〜１３の各ＬＥＤのパルス状の駆動信号の点滅周期（＝点灯時間Ｔｏｎ＋消灯時間Ｔｏｆｆ）に対する点灯時間Ｔｏｎの割合、すなわち、デューティ（％）として与えられる。
【００３７】
この実施形態では、後述のように、中央制御盤２は、前記設定値に加えて、各ＬＥＤの明るさのばらつきを補正するための補正値を、シリアル信号によって伝送できるようにしている。
【００３８】
この図１では、エレベータの中央制御盤２とエレベータ用押しボタンスイッチ１１〜１３との間の、＋５Ｖ，０Ｖの共通の電源ラインＬ１，Ｌ２、点灯／消灯の個別の信号ラインＬ３〜Ｌ５、および、ＬＥＤの明るさの設定値などを、例えば、ＲＳ−２３２ｃのシリアル信号で伝送する共通のシリアル信号ラインＬ６が示されている。
【００３９】
図２は、図１のエレベータ用押しボタンスイッチの内部構成を示すブロック図である。図１の各エレベータ用押しボタンスイッチ１１〜１３は、表示する目的階が異なるのみで内部構成は同様であるので、図２では、代表的にエレベータ用押しボタンスイッチ１としている。
【００４０】
この実施形態のエレベータ用押しボタンスイッチ１は、押しボタンの押圧操作に伴って作動する上述のスイッチ３を内蔵しており、このスイッチ３の出力端子が、コネクタ４を介して上述の中央制御盤２に接続されている。このコネクタ２には、図１の各ラインＬ１〜Ｌ６が接続される。
【００４１】
このエレベータ用押しボタンスイッチ１は、押圧操作された押しボタンをオレンジ色で照明するための赤色の第１のＬＥＤ５と黄色の第２のＬＥＤ６とを備えており、更に、各ＬＥＤ５，６に電流制限抵抗７，８を介してパルス状の点灯駆動信号を与えてその明るさを調整し、照明色を制御する制御手段９を備えており、この制御手段９は、例えば、ワンチップマイコンで構成されている。
【００４２】
制御手段９は、中央制御盤２からのシリアル信号を受信するシリアル信号受信部１０と、このシリアル信号が各ＬＥＤ５，６の明るさの設定値である場合に、その設定値を記憶するメモリ２５と、ＬＥＤの個体による明るさのばらつきを補正する個体ばらつき補正部１１と、ＬＥＤの経時的な明るさの劣化を補正する経時劣化補正部１２と、前回の点灯駆動に用いた設定値を駆動値として保存する駆動値保存部１３と、補正された設定値あるいは前回の駆動値に応じたデューティのパルス状の駆動信号を生成する駆動信号生成部１４とを備えている。
【００４３】
ＬＥＤは、個体毎に明るさのばらつきがあり、個体ばらつき補正部１１は、その明るさのばらつきを補正するものであり、ばらつき補正係数が格納される記憶部としての不揮発性メモリ１５と、このばらつき補正係数を、メモリ２５に記憶された明るさの設定値に乗算してばらつきを補正する補正部１６とを備えている。
【００４４】
ばらつき補正係数は、ＬＥＤ１個１個に対応したものであり、当該エレベータ用押しボタンスイッチの製造時の検査工程において、明るさを測定し、一定の明るさになるように決定される。例えば、ＬＥＤが明るい場合には、ばらつき補正係数は小さく、また、ＬＥＤが暗い場合には、ばらつき補正係数は大きくなるように決定される。
【００４５】
シリアル信号受信部１０で受信されるシリアル信号が、ばらつき補正係数であるときには、個体ばらつき補正部１１の不揮発性メモリ１５に格納される。
【００４６】
図２においては、シリアル信号受信部１０で受信されたシリアル信号の各ＬＥＤ５，６の明るさの設定値が、６０％，２０％の例を示しており、これら設定値に対して、個体ばらつき補正部１１では、ばらつき補正係数０．７５，０．７０がそれぞれ乗算され、補正後の設定値が４５％，１４％となった例を示している。
【００４７】
ＬＥＤは、その種類や型式によって、明るさの経時的な劣化の度合いが異なり、図３に示すように、例えば、赤色のＬＥＤと黄色のＬＥＤとでは、初期の明るさを「１」としたときの相対光度の総点灯時間に対する変化が異なる。
【００４８】
したがって、例えば、赤色の第１のＬＥＤ５と黄色の第２のＬＥＤ６との明るさを調整してオレンジ色の照明色とする場合に、経時劣化によって、第１のＬＥＤ５と第２のＬＥＤ６との明るさの低下の度合いが異なるために、照明色であるオレンジ色の明るさや色合いも変化することになる。
【００４９】
そこで、この実施形態では、図２に示す経時劣化補正部１２によって、第１，第２のＬＥＤ５，６の経時的な明るさの劣化を補正してオレンジ色の明るさや色合いが変化するのを抑制するものである。
【００５０】
この経時劣化補正部１２は、当該エレベータ用押しボタンスイッチの点灯時間を積算するタイマからなる点灯時間積算部１７と、予め記憶されている経時劣化の度合いに対応する経時劣化係数を、積算された総点灯時間に乗算し、更に１を加算し、個体ばらつき補正部１１からの補正された設定値に乗算して補正する補正部１８とを備えている。経時劣化係数は、ＬＥＤの種類毎に、事前に連続点灯試験を行って予め求めておく。
【００５１】
点灯時間積算部１７では、積算される総点灯時間を年数として積算するものであり、例えば、総点灯時間が半年であれば、０．５となる。
【００５２】
図２においては、総点灯時間がＹ（年）であり、各ＬＥＤ５，６の経時劣化係数が０．２，０．３である例を示している。個体ばらつき補正部１１で補正された設定値４５％，１４％に対して、それぞれ（１＋０．２Ｙ），（１＋０．３Ｙ）が乗算されて補正される例を示している。
【００５３】
駆動値保存部１３は、中央制御盤２から明るさの設定値が与えられる前に、点灯信号が与えられたときに備えて、前回の駆動に用いられた設定値を、駆動値として保存するものであり、例えば、不揮発性メモリからなる。駆動信号生成部１４は、中央制御盤２から明るさの設定値が与えられる前に、点灯信号が与えられたときには、この駆動値保存部１３に保存されている駆動値に基づいて、点灯駆動信号を生成する。
【００５４】
この実施形態では、中央制御盤２からエレベータ用押しボタンスイッチ１に与えられるシリアル信号によって、各ＬＥＤ５，６の明るさを指定する上述の設定値を与えることができるとともに、個体ばらつき補正部１１に格納するばらつき補正係数を与えることもできる。
【００５５】
このため、シリアル信号には、設定値であるか、ばらつき補正係数であるかを指定するコマンドコードを含めている。
【００５６】
シリアル信号受信部１０は、このコマンドコードに基づいて、設定値であるときには、上述のようにメモリ２５に一旦格納する一方、ばらつき補正係数であるときには、個体ばらつき補正部１１の不揮発性メモリ１５に格納する。
【００５７】
この実施形態では、例えば、頭にコマンドコード「Ｓ」を付けると、設定値を示し、コマンドコード「＠」を付けると、ばらつき補正係数を示すものである。
【００５８】
例えば、黄色（Ｙ）のＬＥＤ６の設定値「２０％」、赤色（Ｒ）のＬＥＤ６の設定値「６０％」であるときには、「ＳＹ２０Ｒ６０」に対応するシリアル信号となり、また、例えば、黄色（Ｙ）の補正係数「０．７０」、赤色（Ｒ）の補正係数「０．７５」であるときには、「＠Ｙ７０Ｒ７５」に対応するシリアル信号となる。
【００５９】
図４は、この実施形態の動作説明に供するフローチャートである。
【００６０】
なお、この図４において、ＴＩＭＥ＿ＣＯＵＮＴは内部積算タイマの値、Ｙ＿ＬＥＤ＿ＴＲＭは黄色ＬＥＤの個体ばらつき補正係数、Ｒ＿ＬＥＤ＿ＴＲＭは赤色ＬＥＤの個体ばらつき補正係数、Ｙ＿ＬＥＤ＿ＴＩＭＥは黄色ＬＥＤの経時劣化係数、Ｒ＿ＬＥＤ＿ＴＩＭＥは赤色ＬＥＤの経時劣化係数である。
【００６１】
先ず、前回の各ＬＥＤ駆動値を、駆動値保存部１３から読み込み（ステップｎ１０１）、シリアル信号が来ているか否か判断し（ステップｎ１０２）、来ているときには、シリアル信号を受信し（ステップｎ１０３）、シリアル信号に含まれるコマンドコードがＬＥＤの補正値であるか否か判断する（ステップｎ１０４）。
【００６２】
コマンドコードが、ＬＥＤの補正値でないときには、受信値は設定値であるとして、第１，第２のＬＥＤ５，６の駆動値を、上述のばらつき補正係数、総点灯時間および経時劣化係数を用いて計算し（ステップｎ１０５）、駆動値保存部１３に保存し（ステップｎ１０６）、「点灯／消灯」信号は、点灯であるか否かを判断し（ステップｎ１０７）、点灯であるときには、各ＬＥＤのデューテイを各駆動値に設定して駆動し（ステップｎ１０８）、ステップｎ１０７で点灯でないときには、消灯、すなわち、各ＬＥＤのデューティをゼロに設定する（ステップｎ１０９）。
【００６３】
また、上記ステップｎ１０４において、コマンドコードがＬＥＤの補正値であるときには、各ＬＥＤに対応する受信値を、個体ばらつき補正のためのばらつき補正係数であるとして格納し（ステップｎ１１０）、ステップｎ１０７に移る。
【００６４】
この実施形態によれば、エレベータ用押しボタンスイッチ１の１個、１個についてのオレンジ色の明るさおよび色合いのばらつきを抑制することができる。更に、オレンジ色の明るさおよび色合いの経時的な変化が抑制されて、初期と同様の明るさおよび色合いを保つことができる。
【００６５】
この実施形態では、ばらつき補正係数は、外部の中央制御盤２からシリアル通信によって与えられ、ばらつき補正係数を変更することが可能であったけれども、本発明の他の実施形態として、当該エレベータ用押しボタンスイッチの製造時に、ばらつき補正係数を不揮発性メモリに書き込み、それを固定値として用いるようにしてもよい。
【００６６】
（実施形態２）
図５は、本発明の他の実施形態のエレベータ用押しボタンスイッチのブロック図であり、上述の図２に対応する図であり、図６は、その動作説明に供するフローチャートであり、上述の図４に対応する図である。
【００６７】
上述の実施形態のエレベータ用押しボタンスイッチは、オレンジ色の単色の照明であったけれども、この実施形態のエレベータ用押しボタンスイッチは、フルカラーの照明を可能にしている。
【００６８】
すなわち、この実施形態のエレベータ用押しボタンスイッチ１ａは、複数の光源として、赤色、緑色、青色の第１〜第３のＬＥＤ１９〜２１を備えており、中央制御盤２からは、各ＬＥＤ１９〜２１の明るさの設定値およびばらつき補正係数が与えられる。
【００６９】
このエレベータ用押しボタンスイッチ１ａは、各ＬＥＤ１９〜２１に電流制限抵抗２６〜２８を介してパルス状の点灯駆動信号を与えてその明るさを調整し、照明色を制御する制御手段９ａを備えており、この制御手段９ａは、中央制御盤２からのシリアル信号を受信するシリアル信号受信部１０ａと、このシリアル信号が各ＬＥＤ５，６の明るさの設定値である場合に、その設定値を記憶するメモリ２５ａと、ＬＥＤの個体による明るさのばらつきを補正する個体ばらつき補正部１１ａと、ＬＥＤの経時的な明るさの劣化を補正する経時劣化補正部１２ａと、前回の点灯駆動に用いた設定値を駆動値として保存する駆動値保存部１３ａと、補正された設定値あるいは前回の駆動値に応じたデューティのパルス状の駆動信号を生成する駆動信号生成部１４ａとを備えている。
【００７０】
各部の構成および動作は、上述の実施の形態と同様であるので、その説明は省略する。
【００７１】
この実施形態によれば、赤色、緑色、青色の第１〜第３のＬＥＤ１９〜２１の明るさの各設定値の選択によって、照明色を任意に選択することができる。
【産業上の利用可能性】
【００７２】
本発明は、エレベータスイッチとして有用である。
【図面の簡単な説明】
【００７３】
【図１】エレベータ用押しボタンスイッチおよび中央制御盤を示す図である。
【図２】エレベータ用押しボタンスイッチの内部構成を示すブロック図である。
【図３】ＬＥＤの明るさの経時的な劣化を示す図である。
【図４】動作説明に供するフローチャートである。
【図５】本発明の他の実施形態のエレベータ用押しボタンスイッチの内部構成を示す図である。
【図６】動作説明に供するフローチャートである。
【符号の説明】
【００７４】
１，１１〜１３，１ａ              エレベータ用押しボタンスイッチ
２                                中央制御盤
５，６，１９〜２１                ＬＥＤ
９，９ａ                          制御手段
１１，１１ａ                      個体ばらつき補正部
１２，１２ａ                      経時劣化補正部
【図１】
2010064878.tif 000003
【図２】
2010064878.tif 000004
【図３】
2010064878.tif 000005
【図４】
2010064878.tif 000006
【図５】
2010064878.tif 000007
【図６】
2010064878.tif 000008